【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
挿入デバイスであって、
近位端部分と遠位端部分とを有する細長い部材であって、該細長い部材は、該細長い部材を通る内腔を規定する、細長い部材と、
遠位端部分と近位端部分とを有するスタイレットであって、該スタイレットは、該細長い部材に摺動可能に連結され、該スタイレットは、該細長い部材に対して、第１の位置から第２の位置に移動するように構成され、該スタイレットの遠位端部分は、組織アンカをそこに取り外し可能に連結するように構成され、該スタイレットの遠位端部分の一部は、該スタイレットがその第１の位置にあるとき該細長い部材の内腔の外側に配置され、該スタイレットの該一部は、該スタイレットがその第２の位置にあるとき内腔内にある、スタイレットと
を備える、デバイス。
【請求項２】
前記スタイレットは、湾曲部分を含む、請求項１に記載の挿入デバイス。
【請求項３】
前記スタイレットの遠位端部分は第１の直径を有し、該スタイレットの近位端部分は、第２の直径を有し、該第２の直径は、該第１の直径より大きい、請求項１に記載の挿入デバイス。
【請求項４】
前記スタイレットの遠位端部分は、リッジと、先端と、該リッジと該先端との間に延びるテーパ部分とを規定し、該リッジは、前記組織アンカと相互作用するように構成される、請求項１に記載の挿入デバイス。
【請求項５】
前記スタイレットの遠位端部分は、前記組織アンカの遠位端部分の外側に配置され、それに接触するように構成されるリッジを規定する、請求項１に記載の挿入デバイス。
【請求項６】
前記スタイレットの遠位端部分は、前記組織アンカによって規定される内腔を通って延びるように構成される、請求項１に記載の挿入デバイス。
【請求項７】
前記スタイレットの遠位端部分は、前記組織アンカの遠位端部分の外側に延びるように構成される、請求項１に記載の挿入デバイス。
【請求項８】
前記細長い部材の近位端部分は少なくとも１つの突起を有する基部部分を含み、前記スタイレットの近位端は、該基部部分の少なくとも１つの突起に係合するように構成される、停止部分を有する、請求項１に記載の挿入デバイス。
【請求項９】
前記スタイレットの近位端部分は、リップを有する停止部分を含み、該リップは、該スタイレットがその第１の位置からその第２の位置に移動されると、前記細長い部材の突起に係合するように構成される、請求項１に記載の挿入デバイス。
【請求項１０】
前記細長い部材の遠位端部分は、前記スタイレットがその第１の位置からその第２の位置に移動されると、前記組織アンカに接触するように構成される、請求項１に記載の挿入デバイス。
【請求項１１】
前記細長い部材の遠位端部分は、前記スタイレットがその第１の位置からその第２の位置に移動されると、前記組織アンカの近位端部分に接触し、該組織アンカを該スタイレットから分断するように構成される、請求項１に記載の挿入デバイス。
【請求項１２】
挿入デバイスであって、
近位端部分と遠位端部分とを有する細長い部材であって、該細長い部材は、該細長い部材を通る内腔を規定する、細長い部材と、
遠位端部分と近位端部分とを有するスタイレットであって、該スタイレットは、第１の位置から第２の位置に移動するように構成され、該遠位端部分は、組織アンカをそこに取り外し可能に連結するように構成され、該遠位端部分は、該スタイレットがその第１の位置にあるとき該組織アンカに連結され、該細長い部材は、該スタイレットがその第１の位置からその第２の位置に移動されると、該組織アンカに接触し、該組織アンカを該スタイレットの遠位端部分から分断するように構成される、スタイレットと
を備える、デバイス。
【請求項１３】
前記スタイレットの遠位端部分は、リッジと、先端と、該リッジと該先端との間に延びるテーパ部分とを規定し、該リッジは、前記組織アンカと相互作用するように構成される、請求項１２に記載の挿入デバイス。
【請求項１４】
組織アンカであって、
近位端部分と遠位端部分とを備え、該近位端部分と該遠位端部分との間の内腔を規定し、該近位端部分は、その中にフィラメントの一部を受容するように構成される開口を規定し、該近位端部分は、該組織アンカに対して、該フィラメントの部分を固着するための保持部分を含み、該内腔は、その中にスタイレットを受容するように構成され、該スタイレットは、該フィラメントに隣接して配置され、該遠位端部分は、該スタイレットと相互作用するように構成される、アンカ。
【請求項１５】
前記保持部分は、前記フィラメントの部分を穿刺するように構成される突起を含む、請求項１４に記載の組織アンカ。
【請求項１６】
患者の身体組織内に前記組織アンカを係留するように構成されるアンカ部分をさらに備える、請求項１４に記載の組織アンカ。
【手続補正２】
【補正対象書類名】明細書
【補正対象項目名】０００８
【補正方法】変更
【補正の内容】
【０００８】
他の実施形態では、細長い部材は、近位端部分と、遠位端部分と、を含み、そこを通る内腔を規定する。スタイレットは、遠位端部分と、近位端部分と、を有し、第１の位置から第２の位置に移動するように構成される。スタイレットの遠位端部分は、メッシュ担体をそこに取り外し可能に連結するように構成され、スタイレットがその第１の位置にあるとき、メッシュ担体に連結されるように構成される。細長い部材は、メッシュ担体に接触し、スタイレットがその第１の位置からその第２の位置に移動するのに応じて、メッシュ担体をスタイレットの遠位端部分から分断するように構成される。
本発明は、例えば、以下の項目も提供する。
（項目１）
挿入デバイスであって、
近位端部分と遠位端部分とを有する細長い部材であって、該細長い部材は、該細長い部材を通る内腔を規定する、細長い部材と、
遠位端部分と近位端部分とを有するスタイレットであって、該スタイレットは、該細長い部材に摺動可能に連結され、該スタイレットは、該細長い部材に対して、第１の位置から第２の位置に移動するように構成され、該スタイレットの遠位端部分は、組織アンカをそこに取り外し可能に連結するように構成され、該スタイレットの遠位端部分の一部は、該スタイレットがその第１の位置にあるとき該細長い部材の内腔の外側に配置され、該スタイレットの該一部は、該スタイレットがその第２の位置にあるとき内腔内にある、スタイレットと
を備える、デバイス。
（項目２）
前記スタイレットは、湾曲部分を含む、項目１に記載の挿入デバイス。
（項目３）
前記スタイレットの遠位端部分は第１の直径を有し、該スタイレットの近位端部分は、第２の直径を有し、該第２の直径は、該第１の直径より大きい、項目１に記載の挿入デバイス。
（項目４）
前記スタイレットの遠位端部分は、リッジと、先端と、該リッジと該先端との間に延びるテーパ部分とを規定し、該リッジは、前記組織アンカと相互作用するように構成される、項目１に記載の挿入デバイス。
（項目５）
前記スタイレットの遠位端部分は、前記組織アンカの遠位端部分の外側に配置され、それに接触するように構成されるリッジを規定する、項目１に記載の挿入デバイス。
（項目６）
前記スタイレットの遠位端部分は、前記組織アンカによって規定される内腔を通って延びるように構成される、項目１に記載の挿入デバイス。
（項目７）
前記スタイレットの遠位端部分は、前記組織アンカの遠位端部分の外側に延びるように構成される、項目１に記載の挿入デバイス。
（項目８）
前記細長い部材の近位端部分は少なくとも１つの突起を有する基部部分を含み、前記スタイレットの近位端は、該基部部分の少なくとも１つの突起に係合するように構成される、停止部分を有する、項目１に記載の挿入デバイス。
（項目９）
前記スタイレットの近位端部分は、リップを有する停止部分を含み、該リップは、該スタイレットがその第１の位置からその第２の位置に移動されると、前記細長い部材の突起に係合するように構成される、項目１に記載の挿入デバイス。
（項目１０）
前記細長い部材の遠位端部分は、前記スタイレットがその第１の位置からその第２の位置に移動されると、前記組織アンカに接触するように構成される、項目１に記載の挿入デバイス。
（項目１１）
前記細長い部材の遠位端部分は、前記スタイレットがその第１の位置からその第２の位置に移動されると、前記組織アンカの近位端部分に接触し、該組織アンカを該スタイレットから分断するように構成される、項目１に記載の挿入デバイス。
（項目１２）
挿入デバイスであって、
近位端部分と遠位端部分とを有する細長い部材であって、該細長い部材は、該細長い部材を通る内腔を規定する、細長い部材と、
遠位端部分と近位端部分とを有するスタイレットであって、該スタイレットは、第１の位置から第２の位置に移動するように構成され、該遠位端部分は、組織アンカをそこに取り外し可能に連結するように構成され、該遠位端部分は、該スタイレットがその第１の位置にあるとき該組織アンカに連結され、該細長い部材は、該スタイレットがその第１の位置からその第２の位置に移動されると、該組織アンカに接触し、該組織アンカを該スタイレットの遠位端部分から分断するように構成される、スタイレットと
を備える、デバイス。
（項目１３）
前記スタイレットの遠位端部分は、リッジと、先端と、該リッジと該先端との間に延びるテーパ部分とを規定し、該リッジは、前記組織アンカと相互作用するように構成される、項目１２に記載の挿入デバイス。
（項目１４）
組織アンカであって、
近位端部分と遠位端部分とを備え、該近位端部分と該遠位端部分との間の内腔を規定し、該近位端部分は、その中にフィラメントの一部を受容するように構成される開口を規定し、該近位端部分は、該組織アンカに対して、該フィラメントの部分を固着するための保持部分を含み、該内腔は、その中にスタイレットを受容するように構成され、該スタイレットは、該フィラメントに隣接して配置され、該遠位端部分は、該スタイレットと相互作用するように構成される、アンカ。
（項目１５）
前記保持部分は、前記フィラメントの部分を穿刺するように構成される突起を含む、項目１４に記載の組織アンカ。
（項目１６）
患者の身体組織内に前記組織アンカを係留するように構成されるアンカ部分をさらに備える、項目１４に記載の組織アンカ。
（項目１７）
組織アンカを挿入デバイスのスタイレットの遠位端部分に連結することであって、該スタイレットは、細長い部材に移動可能に連結される、ことと、
該挿入デバイスを患者の体内に挿入することと、
該細長い部材に対して、該スタイレットを第１の位置から第２の位置に移動させ、該組織アンカを該挿入デバイスのスタイレットから分断することと、
該挿入デバイスを該身体から除去することと
を含む、方法。
（項目１８）
前記組織アンカを連結することは、前記スタイレットの遠位端部分が、前記細長い部材の遠位端部分を越えて延びるように、該スタイレットをその第１の位置に移動させることを含む、項目１７に記載の方法。
（項目１９）
前記組織アンカの連結は、前記スタイレットの遠位端部分によって規定されるリッジが、該組織アンカと相互作用するように、該組織アンカによって規定される内腔内に該スタイレットを挿入することを含む、項目１７に記載の方法。
（項目２０）
前記スタイレットの該スタイレットの第２の位置への移動は、該スタイレットを遠位方向に移動させることを含む、項目１７に記載の方法。